(57)【要約】【課題】クオークと見做されるものは電磁気1個として存在するのか、束の集合体として存在するのか。電磁気の集合体として存在するのか。電磁気とはいかなるものか。クオークは陽子や電子の中に存在するか。クオークと特性X線の関係。【解決手段】クオークと見做される3.1MeVの電磁気の輪は存在する場のエネルギーにより、1輪の状態。束の状態。電磁気の状態に変化する。この事は、電磁気は高エネルギーの場では凝縮する。電磁気は凝縮し、弛緩する性質を持つということです。私はこれを定理(真実)とします。クオークと見做される物は、地表の陽子の中や電子の中に存在しない。なぜなら、クオークの電磁気は地表の陽子や電子の中の電磁気の3×108倍であるからです。Pb(82)のK吸収端は1.41×10−11mです。Pb(82)の内殻の電子を、高エネルギー加速器にかけたら、5.7クオークより高エネルギーのクオークと見做される電磁気の輪が発見されるでしょう。【選択図】図１
2017077066.tif 000002
【特許請求の範囲】
【請求項１】
高エネルギー加速器における、陽子の中のクオークと見做される輪の状態。補正したもの。
2015年6月10日に提出した、特願2015−117134、「高エネルギー加速器で観察されるもの８」の「請求項８」地表における陽子の中はどのようであるか、に於いて次のように記した。
高エネルギー加速器における、陽子の中の輪の状態(高エネルギー加速器で、クオークと見做される陽子のラブに引かれて回転している輪のエネルギーから、陽子の中はどのようになっているかを考えます)表33を記した。
陽子のラブは4.34×104自転で1公転する。4.34×104公転でできる電磁気を1束とする。電磁気が4.34×104個で1束とする。
輪の中の束数＝輪の電磁気数÷1束の電磁気数＝6.248×108個÷(4.34×104個)＝1.440×104束、です。
地表の陽子の輪の状態。補正したもの。表35を示した。
しかし、高エネルギー加速器に於いて、輪(クオークと見做されているもの)のエネルギー、3.1MeV、1.7MeV、1.491MeVの場合について、補正した表は提示していなかった。
それで、ここに、3.1MeV、1.7MeV、1.491MeVの場合について、補正した表を記す。
陽子のラブは4.34×104自転で1公転する。4.34×104公転でできる電磁気を1束とする。電磁気が4.34×104個で1束とする。
輪の中の束数＝輪の電磁気数÷1束の電磁気数＝6.248×108個÷(4.34×104個)＝1.440×104束、です。
高エネルギー加速器における、陽子の中の3.1MeVのクオークと見做される輪の状態。補正したもの。
表１６
2017077066.tif 000020
高エネルギー加速器における、陽子の中の1.7MeVのクオークと見做される輪の状態。補正したもの。
表１７
2017077066.tif 000021
高エネルギー加速器における、陽子の中の1.491MeVのクオークと見做される輪の状態。補正したもの。
表１８
2017077066.tif 000022
【請求項２】
高エネルギー加速器における、電子の中のクオークと見做される輪の状態。補正したもの。
2015年6月10日に提出した、特願2015−117134、「高エネルギー加速器で観察されるもの８」の「請求項９」地表における電子の中はどのようであるか、に於いて次のように記した。
高エネルギー加速器における、電子の中の輪の状態(高エネルギー加速器で、クオークと見做される電子のラブに引かれて回転している輪のエネルギーから、電子の中はどのようになっているかを考えます)表36を記した。
それで、1束の電磁気の個数を7.96×107個とする。
これは、電子のラブは1公転で7.96×107回自転し、1秒間に(7.96×107)3回自転し、(7.96×107)2回公転するからです。
(7.96×107)公転でできる電磁気が1束に成っていると考える。
各々の輪には1束が7.96×107個の電磁気である束が存在する。
輪の中の束数＝輪の電磁気数÷1束の電磁気数＝3.619×109個÷(7.96×107個)＝4.546×10束存在する。
高エネルギー加速器における、電子の中の5.7MeVのクオークと見做される輪の状態。補正したもの。
表１９
2017077066.tif 000023
高エネルギー加速器における、電子の中の5.323MeVのクオークと見做される輪の状態。補正したもの。
表２０
2017077066.tif 000024
高エネルギー加速器における、電子の中の4.1MeVのクオークと見做される輪の状態。補正したもの。
表２１
2017077066.tif 000025
【請求項３】
クオークと見做されるものは電磁気1個として存在するのか、束の集合体として存在するのか。電磁気の集合体として存在するのか。電磁気とはいかなるものか。
クオークと見做されるものは高エネルギー加速器で衝突させ放出させた状態で存在できるものであり、地表の陽子の中や電子の中に存在しない。
もし、uクオークを3.1MeV〜1.7MeVとするならば、クオークと見做される高エネルギーの物は、地表の陽子の中や電子の中に存在しない。
但し、エネルギーを3×108分の1にすると、地表の陽子の中や電子の中に存在する。
はたしてクオークと見做されているものはどのようなものなのでしょうか。
私は、クオークは素粒子ではないと考えているので、クオークと見做されているものと表現しています。
クオークと見做されているものは電磁気の輪です。
例えば、3.1MeVのクオークと見做されているものについて考えます。
A=3×108の場である、高エネルギー加速器の中で、クオークと見做される3.1MeVの電磁気の輪は4.967×10−13Jの電磁気であり、軌道は2.482×10−29mです。
クオークと見做される3.1MeVの電磁気の輪は次の3種類の物として認識される。
a.電磁気1個の状態として存在している。  
b.束の集合体として存在している。
c.6.250×108個の電磁気として存在している。
a.は、A=0.480の場では、6.250×108個の電磁気である物が、A=3×108の場では6.250×108分の１に凝縮されているということです。
b.は、A=2.083×104の場では、1.44×104束である物が、A=3×108の場では1.44×104分の１に凝縮されているということです。
c.は、6.250×108個の電磁気である物が、A=3×108の場ではそのまま固まって存在するということです。
a.b.c.いずれの場合も成立します。
ビッグバンに近い場に成るに従い、電磁気のエネルギーは高くなります。
この事は、電磁気は凝縮する性質を持つ。ということです。
私はこれを定理(真実)とします。
低エネルギーの場では、電磁気の集合体は少ない。電磁気は弛緩して低エネルギー体になる。
高エネルギーの場では、電磁気の集合体は多くなる。電磁気は凝縮して高エネルギー体に成る。
この事を示す式が、電磁気のエネルギー×軌道＝1.233×10−41Jm。の式です。
軌道が大きい事は電磁気が弛緩している。それで低エネルギーに成る。
軌道が小さい事は電磁気が凝縮している。それで高エネルギーに成る。
電磁気の軌道が10−10mで10−31Jです。
電磁気の軌道が10−30mで10−11Jです。
電磁気の軌道が10−10mに弛緩している。それで低エネルギーに成る。
電磁気の軌道が10−30mに凝縮している。それで高エネルギーに成る。
私は今まで、電気の光子の軌道エネルギーの式を1個の電気の光子だけの式と考えてきました。
しかし、クオークを考えるとき、電磁気の集合体の場合でも、この式は適応できるのであることを知りました。
そして、電磁気はいくらでも、その場のエネルギーにあわせて、凝縮でき、弛緩できる事を知りました。
この事により、電子のラブは電磁気の凝縮によりできたということが認識できます。
電磁気は高エネルギーの場では凝縮し、高エネルギーに成り、低エネルギーの場では弛緩し、低エネルギーに成る。
電磁気は高エネルギーの場では凝縮し軌道を小さくし、高エネルギーに成り、低エネルギーの場では弛緩し軌道を大きくし、低エネルギーに成る。
高エネルギーの場は高軌道エネルギーの場であり、引力は大きい。
その事によって、その場の物は凝縮する。物は凝縮し、軌道を小さくするので、高エネルギー体に成る。
低エネルギーの場は低軌道エネルギーの場であり、引力は小さい。
その事によって、その場の物は弛緩する。物は弛緩し、軌道を大きくするので、低エネルギー体に成る。
【請求項４】
場のエネルギーにより、電子の中のクオークと見做される物のエネルギーはどのように変化するか。(陽子の場合については、2015年10月1日に提出した、特願2015−195558の「請求項7」に記した)
場のエネルギーにより、クオークと見做される輪のエネルギーは変化する。
・高エネルギー加速器の中で光速に加速された電子と電子が衝突する。この場のA=(3×108)2です。
A=(3×108)2の場で電子は解体する。
・A=3×108の場で電子の中のクオークと見做される電磁気の輪が存在する。
場のエネルギーに相当するものよりその場には存在できない。
場のエネルギーにあわせて、クオークと見做される電磁気の輪も存在する。
場のエネルギーが減少すると、クオークと見做される電磁気の輪は存在できず、エネルギーの小さいものに変化する。
・A=3×108÷(45.46)＝6.599×106の場で、クオークと見做される電磁気の輪は45.65分の1のエネルギーに成り、1束のエネルギーに成る。
クオークと見做される電磁気の輪は、束に分解される。このエネルギーの場では束として存在できる。
・A=6.599×106÷(7.96×107)＝8.290×10−2の場で、束の7.96×107分の1のエネルギーに成るので、電磁気1個のエネルギーに成る。
束は電磁気に分解される。このエネルギーの場では電磁気として存在できる。
・5.7MeVの電磁気の輪の場合。
A=3×108の場で、5.7MeV＝5.7×106×1.60218×10−19J=9.132×10−13J。これは電磁気の輪のエネルギーです。
この場では輪として存在する。
A=3×108÷(45.46)＝6.599×106の場で、9.132×10−13J÷(45.46)＝2.008×10−14J。これは1束のエネルギーです。
この場では束として存在する。
A=6.599×106÷(7.96×107)＝8.290×10−2の場で、2.008×10−14J÷(7.96×107)＝2.523×10−22J。これは1個の電磁気のエネルギーです。
この場では電磁気として存在する。
・5.324MeVの電磁気の輪の場合。
A=3×108の場で、5.324MeV＝5.324×106×1.60218×10−19J=8.530×10−13J。これは電磁気の輪のエネルギーです。
A=3×108÷(45.46)＝6.599×106の場で、8.530×10−13J÷(45.46)＝1.876×10−14J。これは1束のエネルギーです。
A=6.599×106÷(7.96×107)＝8.290×10−2の場で、1.876×10−14J÷(7.96×107)＝2.357×10−22J。これは1個の電磁気のエネルギーです。
・4.1MeVの電磁気の輪の場合。
A=3×108の場で、4.1MeV＝4.1×106×1.60218×10−19J=6.569×10−13J。これは電磁気の輪のエネルギーです。
A=3×108÷(45.46)＝6.599×106の場で、6.569×10−13J÷(45.46)＝1.445×10−14J。これは1束のエネルギーです。
A=6.599×106÷(7.96×107)＝8.290×10−2の場で、1.445×10−14J÷(7.96×107)＝1.815×10−22J。これは1個の電磁気のエネルギーです。
まとめて表に記す。
場のエネルギーと電子の中から放出したクオークと見做されている電磁気の輪の変化
表２２
2017077066.tif 000026
【請求項５】
場のエネルギーと、電子の中から放出したクオークと見做されている電磁気の輪の変化とそれに伴う変化した物の軌道の変化と数の変化。
変化した物の軌道の変化と数の変化。
・5.7MeVの電磁気の輪の場合。
A=3×108の場で、5.7MeVの電磁気の輪のエネルギーは9.132×10−13Jです。
この輪の電気の光子の軌道は、1.233×10−41Jm÷(9.132×10−13J)＝1.350×10−29m、です。
磁気の光子の軌道＝電気の光子の軌道×3.14÷(7.96×107回)＝1.350×10−29m×3.14÷(7.96×107回)＝5.325×10−37m。
A=3×108÷(45.46)＝6.599×106の場で、1束の電磁気のエネルギーは2.008×10−14Jです。
この1束の電気の光子の軌道は、1.233×10−41Jm÷(2.008×10−14J)＝6.140×10―28m、です。
磁気の光子の軌道＝電気の光子の軌道×3.14÷(7.96×107回)＝6.140×10−28m×3.14÷(7.96×107回)＝2.422×10−35m。
1個のクオークと見做されている電磁気の輪から、45.46束の電磁気ができます。
A=6.599×106÷(7.96×107)＝8.290×10−2の場で、1個の電磁気のエネルギーは2.523×10−22Jです。
この1個の電気の光子の軌道は、1.233×10−41Jm÷(2.523×10−22J)＝4.887×10−20m、です。
磁気の光子の軌道＝電気の光子の軌道×3.14÷(7.96×107回)＝4.887×10−20m×3.14÷(7.96×107回)＝1.928×10−27m。
1個のクオークと見做されている電磁気の輪から、45.46×7.96×107＝3.619×109個の電磁気ができます。
・5.324MeVの電磁気の輪の場合。
A=3×108の場で、5.324MeVの電磁気の輪のエネルギーは8.530×10−13J です。
この輪の電気の光子の軌道は、1.233×10−41Jm÷(8.530×10−13J)＝1.445×10−29m、です。
磁気の光子の軌道＝電気の光子の軌道×3.14÷(7.96×107回)＝1.445×10−29m×3.14÷(7.96×107回)＝5.700×10−37m。
A=3×108÷(45.46)＝6.599×106の場で、1束の電磁気のエネルギーは1.876×10−14Jです。
この束の電気の光子の軌道は、1.233×10−41Jm÷(1.876×10−14J)＝6.572×10―28m、です。
磁気の光子の軌道＝電気の光子の軌道×3.14÷(7.96×107回)＝6.572×10―28m×3.14÷(7.96×107回)＝2.592×10−35m。
1個のクオークと見做されている電磁気の輪から、45.46束の電磁気ができます。
A=6.599×106÷(7.96×107)＝8.290×10−2の場で、1個の電磁気のエネルギーは2.357×10−22Jです。
この1個の電磁気の軌道は、1.233×10−41Jm÷(2.357×10−22J)＝5.231×10−20m、です。
磁気の光子の軌道＝電気の光子の軌道×3.14÷(7.96×107回)＝5.231×10−20m×3.14÷(7.96×107回)＝2.063×10−27m。
1個のクオークと見做されている電磁気の輪から、45.46×7.96×107＝3.619×109個の電磁気ができます。
・4.1 MeVの電磁気の輪の場合。
A=3×108の場で、4.1MeVの電磁気の輪のエネルギーは 6.569×10−13Jです。
この輪の電気の光子の軌道は、1.233×10−41Jm÷(6.569×10−13J)＝1.877×10−29m、です。
磁気の光子の軌道＝電気の光子の軌道×3.14÷(7.96×107回)＝1.877×10−29m×3.14÷(7.96×107回)＝7.404×10−37m。
A=3×108÷(45.46)＝6.599×106の場で、1束の電磁気のエネルギーは1.445×10−14J です。
この束の電気の光子の軌道は、1.233×10−41Jm÷(1.445×10−14J)＝8.533×10―28m、です。
磁気の光子の軌道＝電気の光子の軌道×3.14÷(7.96×107回)＝8.533×10―28m×3.14÷(7.96×107回)＝3.366×10−35m。
1個のクオークと見做されている電磁気の輪から、45.46束の電磁気ができます。
A=6.599×106÷(7.96×107)＝8.290×10−2の場で、1個の電磁気のエネルギーは1.815×10−22Jです。
この1個の電気の光子の軌道は、1.233×10−41Jm÷(1.815×10−22J)＝6.793×10−20m、です。
磁気の光子の軌道＝電気の光子の軌道×3.14÷(7.96×107回)＝6.793×10−20m×3.14÷(7.96×107回)＝2.680×10−27m。
1個のクオークと見做されている電磁気の輪から、45.46×7.96×107＝3.619×109個の電磁気ができます。
まとめて表に示す。
場のエネルギーと、電子の中から放出したクオークと見做されている電磁気の輪の変化とそれに伴う変化した物の軌道の変化と数
表２３
2017077066.tif 000027
2017077066.tif 000028
【請求項６】
場のエネルギーと、陽子の中から放出したクオークと見做されている電磁気の輪の変化とそれに伴う変化した物の軌道の変化と数の変化。
(2015年10月1日に提出した、特願2015−195558の「請求項７」に於いて、場のエネルギーとクオークと見做されている電磁気の輪のエネルギーの変化を示した)
変化した物の軌道の変化と数の変化。
・3.1MeVの電磁気の輪の場合。
A=3×108の場で、3.1MeVの電磁気の輪のエネルギーは4.967×10−13Jです。
この輪の電気の光子の軌道＝1.233×10−41Jm÷(4.967×10−13J)＝2.482×10−29m。
磁気の光子の軌道＝電気の光子の軌道×3.14÷(4.34×104回)＝2.482×10−29m×3.14÷(4.34×104回)＝1.796×10−33m。
A=3×108÷(1.44×104)＝2.083×104の場で、1束の電磁気のエネルギーは 3.449×10−17Jです。
この束の電気の光子の軌道＝1.233×10−41Jm÷(3.449×10−17J)＝3.575×10−25m。
磁気の光子の軌道＝電気の光子の軌道×3.14÷(4.34×104回)＝3.575×10−25m×3.14÷(4.34×104回)＝2.587×10−29m。
A=2.083×104÷(4.34×104)＝0.480の場で、1個の電磁気のエネルギーは7.947×10−22Jです。
この1個の電気の光子の軌道＝1.233×10−41Jm÷(7.947×10−22J)＝1.552×10−20m。
磁気の光子の軌道＝電気の光子の軌道×3.14÷(4.34×104回)＝1.552×10−20m×3.14÷(4.34×104回)＝1.123×10−24m。
・1.7MeVの電磁気の輪の場合。
A=3×108の場で、1.7MeVの電磁気の輪のエネルギーは2.724×10−13Jです。
この輪の電気の光子の軌道＝1.233×10−41Jm÷(2.724×10−13J)＝4.526×10−29m。
磁気の光子の軌道＝電気の光子の軌道×3.14÷(4.34×104回)＝4.526×10−29m×3.14÷(4.34×104回)＝3.275×10−33m。
A=3×108÷(1.44×104)＝2.083×104の場で、1束の電磁気のエネルギーは 1.892×10−17Jです。
この束の電気の光子の軌道＝1.233×10−41Jm÷(1.892×10−17J)＝6.517×10−25m。
磁気の光子の軌道＝電気の光子の軌道×3.14÷(4.34×104回)＝6.517×10−25m×3.14÷(4.34×104回)＝4.715×10−29m。
A=2.083×104÷(4.34×104)＝0.480の場で、1個の電磁気のエネルギーは4.359×10−22Jです。
この1個の電気の光子の軌道＝1.233×10−41Jm÷(4.359×10−22J)＝2.829×10−20m。
磁気の光子の軌道＝電気の光子の軌道×3.14÷(4.34×104回)＝2.829×10−20m×3.14÷(4.34×104回)＝2.047×10−24m。
・1.491 MeVの電磁気の輪の場合。
A=3×108の場で、1.491 MeVの電磁気の輪のエネルギーは2.389×10−13Jです。
この輪の電気の光子の軌道＝1.233×10−41Jm÷(2.389×10−13J)＝5.161×10−29m。
磁気の光子の軌道＝電気の光子の軌道×3.14÷(4.34×104回)＝5.161×10−29m×3.14÷(4.34×104回)＝3.734×10−33m。
A=3×108÷(1.44×104)＝2.083×104の場で、1束の電磁気のエネルギーは 1.659×10−17Jです。
この束の電気の光子の軌道＝1.233×10−41Jm÷(1.659×10−17J)＝7.432×10−25m。
磁気の光子の軌道＝電気の光子の軌道×3.14÷(4.34×104回)＝7.432×10−25m×3.14÷(4.34×104回)＝5.377×10−29m。
A=2.083×104÷(4.34×104)＝0.480の場で、1個の電磁気のエネルギーは3.823×10−22Jです。
この1個の電気の光子の軌道＝1.233×10−41Jm÷(3.823×10−22J)＝3.225×10−20m。
磁気の光子の軌道＝電気の光子の軌道×3.14÷(4.34×104回)＝3.225×10−20m×3.14÷(4.34×104回)＝2.333×10−24m。
まとめて表に示す。
場のエネルギーと、陽子の中から放出したクオークと見做されている電磁気の輪の変化とそれに伴う変化した物の軌道の変化と数
表２４
2017077066.tif 000029
2017077066.tif 000030
【請求項７】
高エネルギー加速器の中でできた、電子の中のクオークと見做される電磁気の輪は場のエネルギーの変化によりどのように成っているか。1束に成るとどのようになっているか。1電磁気に成るとどのようになるか。
・5.7MeVのクオークと見做される電磁気の輪の場合。
A=3×108の場で、5.7MeVのクオークと見做される電磁気の輪のエネルギーは5.7MeV＝9.132×10−13Jです。
この輪の電気の光子の軌道は1.350×10−29mで、1.350×10−29mで回転しています。この電気の光子に垂直の方向に磁気の光子は軌道が5.325×10−37mで7.96×107回回転し1周しています。
この電磁気の輪は、
A=3×108÷(45.46)＝6.599×106の場で解体され、45.46束に成ります。
この1束の電磁気のエネルギーは2.008×10−14Jです。
この1束の電気の光子の軌道は6.140×10―28mで、6.140×10―28mで回転しています。この電気の光子に垂直の方向に磁気の光子は軌道が2.422×10−35m で7.96×107回回転し1周しています。
この電磁気の束は更に低エネルギーの場で解体されます。更に低エネルギーの場では、自分のエネルギーを2.008×10−14Jとして保持できないからです。
A=6.599×106÷(7.96×107)＝8.290×10−2の場で、1束の電磁気は45.46束×7.96×107個＝3.619×109個の電磁気に解体されます。
この1個の電磁気のエネルギーは、2.523×10−22Jです。
この1個の電気の光子の軌道は4.887×10−20mで、4.887×10−20mで回転しています。この電気の光子に垂直の方向に磁気の光子は軌道が1.928×10−27mで7.96×107回回転し1周しています。
・5.324MeVのクオークと見做される電磁気の輪の場合。
A=3×108の場で、5.324MeVのクオークと見做される電磁気の輪のエネルギーは5.324MeV＝8.530×10−13Jです。
この輪の電気の光子の軌道は1.445×10−29mで、1.445×10−29mで回転しています。この電気の光子に垂直の方向に磁気の光子は軌道が5.700×10−37mで7.96×107回回転し1周しています。
この電磁気の輪は、
A=3×108÷(45.46)＝6.599×106の場で解体され、45.46束に成ります。
この1束の電磁気のエネルギーは1.876×10−14Jです。
この1束の電気の光子の軌道は6.572×10―28mで、6.572×10―28mで回転しています。この電気の光子に垂直の方向に磁気の光子は軌道が2.292×10−35mで7.96×107回回転し1周しています。
この電磁気の束は更に低エネルギーの場で解体されます。更に低エネルギーの場では、自分のエネルギーを1.876×10−14Jとして保持できないからです。
A=6.599×106÷(7.96×107)＝8.290×10−2の場で、1束の電磁気は45.46束×7.96×107個＝3.619×109個の電磁気に解体されます。
この1個の電磁気のエネルギーは、2.357×10−22Jです。
この1個の電気の光子の軌道は5.231×10−20mで、5.231×10−20mで回転しています。この電気の光子に垂直の方向に磁気の光子は軌道が2.063×10−27mで7.96×107回回転し1周しています。
・4.1MeVのクオークと見做される電磁気の輪の場合。
A=3×108の場で、4.1MeVのクオークと見做される電磁気の輪のエネルギーは4.1MeV＝6.569×10−13J です。
この輪の電気の光子の軌道は1.877×10−29mで、1.877×10−29mで回転しています。この電気の光子に垂直の方向に磁気の光子は軌道が7.404×10−37mで7.96×107回回転し1周しています。
この電磁気の輪は、
A=3×108÷(45.46)＝6.599×106の場で解体され、45.46束に成ります。
この1束の電磁気のエネルギーは1.445×10−14Jです。
この1束の電気の光子の軌道は8.533×10―28mで、8.533×10―28mで回転しています。この電気の光子に垂直の方向に磁気の光子は軌道が3.366×10−35mで7.96×107回回転し1周しています。
この電磁気の束は更に低エネルギーの場で解体されます。更に低エネルギーの場では、自分のエネルギーを1.445×10−14Jとして保持できないからです。
A=6.599×106÷(7.96×107)＝8.290×10−2の場で、1束の電磁気は45.46束×7.96×107個＝3.619×109個の電磁気に解体されます。
この1個の電磁気のエネルギーは、1.815×10−22Jです。
この1個の電気の光子の軌道は6.793×10−20mで、6.793×10−20mで回転しています。この電気の光子に垂直の方向に磁気の光子は軌道が2.680×10−27mで7.96×107回回転し1周しています。
【請求項８】
高エネルギー加速器の中でできた、陽子の中のクオークと見做される電磁気の輪は場のエネルギーの変化によりどのように成っているか。1束に成るとどのようになっているか。1電磁気に成るとどのようになるか。
・3.1MeVのクオークと見做される電磁気の輪の場合。
A=3×108の場で、3.1MeVのクオークと見做される電磁気の輪のエネルギーは3.1MeV＝4.967×10−13J です。
この輪の電気の光子の軌道は2.482×10−29m で、2.482×10−29m で回転しています。この電気の光子に垂直の方向に磁気の光子は軌道が1.796×10−33mで4.34×104回回転し1周しています。
この電磁気の輪は、
A=3×108÷(1.44×104)＝2.083×104の場で解体され、1.44×104束に成ります。
この1束の電磁気のエネルギーは3.449×10−17J です。
この1束の電気の光子の軌道は3.575×10−25mで、3.575×10−25mで回転しています。この電気の光子に垂直の方向に磁気の光子は軌道が2.587×10−29m で4.34×104回回転し1周しています。
この電磁気の束は更に低エネルギーの場で解体されます。更に低エネルギーの場では、自分のエネルギーを3.449×10−17Jとして保持できないからです。
A=2.083×104÷(4.34×104)＝0.480の場で、1束の電磁気は4.34×104個の電磁気に解体されます。
この1個の電磁気のエネルギーは、7.947×10−22Jです。
この1個の電気の光子の軌道は1.552×10−20mで、1.552×10−20mで回転しています。この電気の光子に垂直の方向に磁気の光子は軌道が1.123×10−24mで4.34×104回回転し1周しています。
・1.7MeVのクオークと見做される電磁気の輪の場合。
A=3×108の場で、3.1MeVのクオークと見做される電磁気の輪のエネルギーは1.7 MeV＝2.724×10−13J です。
この輪の電気の光子の軌道は4.526×10−29mで、 4.526×10−29mで回転しています。この電気の光子に垂直の方向に磁気の光子は軌道が3.275×10−33mで4.34×104回回転し1周しています。
この電磁気の輪は、
A=3×108÷(1.44×104)＝2.083×104の場で解体され、1.44×104束に成ります。
この1束の電磁気のエネルギーは1.892×10−17Jです。
この1束の電気の光子の軌道は6.517×10−25mで、6.517×10−25mで回転しています。この電気の光子に垂直の方向に磁気の光子は軌道が 4.715×10−29mで4.34×104回回転し1周しています。
この電磁気の束は更に低エネルギーの場で解体されます。更に低エネルギーの場では、自分のエネルギーを1.892×10−17Jとして保持できないからです。
A=2.083×104÷(4.34×104)＝0.480の場で、1束の電磁気は4.34×104個の電磁気に解体されます。
この1個の電磁気のエネルギーは、4.359×10−22Jです。
この1個の電気の光子の軌道は2.829×10−20mで、2.829×10−20mで回転しています。この電気の光子に垂直の方向に磁気の光子は軌道が2.047×10−24mで4.34×104回回転し1周しています。
・1.491MeVのクオークと見做される電磁気の輪の場合。
A=3×108の場で、3.1MeVのクオークと見做される電磁気の輪のエネルギーは1.491 MeV＝2.389×10−13J です。
この輪の電気の光子の軌道は5.161×10−29mで、 5.161×10−29mで回転しています。この電気の光子に垂直の方向に磁気の光子は軌道が3.734×10−33mで4.34×104回回転し1周しています。
この電磁気の輪は、
A=3×108÷(1.44×104)＝2.083×104の場で解体され、1.44×104束に成ります。
この1束の電磁気のエネルギーは1.659×10−17Jです。
この1束の電気の光子の軌道は7.432×10−25mで、7.432×10−25mで回転しています。この電気の光子に垂直の方向に磁気の光子は軌道が 5.377×10−29mで4.34×104回回転し1周しています。
この電磁気の束は更に低エネルギーの場で解体されます。更に低エネルギーの場では、自分のエネルギーを1.659×10−17Jとして保持できないからです。
A=2.083×104÷(4.34×104)＝0.480の場で、1束の電磁気は4.34×104個の電磁気に解体されます。
この1個の電磁気のエネルギーは、3.823×10−22Jです。
この1個の電気の光子の軌道は3.225×10−20mで、3.225×10−20m で回転しています。この電気の光子に垂直の方向に磁気の光子は軌道が2.333×10−24mで4.34×104回回転し1周しています。
【請求項９】
クオークと見做される電磁気は地表の電磁気の3×108倍のエネルギーになっている事の証明。
クオークと見做される電磁気輪が1個の電磁気に成った場合、1個の電磁気は地表の電磁気の3×108倍のエネルギーになっている。
解体されて、電磁気に成った場合も地表の電磁気の3×108倍のエネルギーを持っている。
陽子の中のクオークと見做されている電磁気の輪の電磁気は、
A=2.083×104で解体され、電磁気が4.34×104個集まる束に成る。
A=0.480で、束が解体されできた電磁気は、4.34×104個の電磁気に成り、1個の電磁気として存在する。
この1個の電磁気は、地表の電磁気の3×108倍のネルギーを持っている。
例えば、地表の核磁子は、1束で5.05078×10−27Jです。
3.1MeVのクオークと見做されている電磁気の輪は、
A=2.083×104÷(4.34×104)＝0.480の場で、1束の電磁気は4.34×104個の電磁気に解体されます。
この1個の電磁気のエネルギーは、7.947×10−22Jです。
1束のエネルギーは、7.947×10−22J×4.34×104個＝3.449×10−17Jです。
これは核磁子が測定される陽子の外側のエネルギーの、3.1MeV÷0.1362MeV=22.761倍です。
それで、核磁子が測定される陽子の外側のエネルギーは、3.449×10−17J÷22.761＝1.515×10−18Jです。
このエネルギーは、電磁気に成った場合も地表の電磁気の3×108倍のエネルギーを持っているエネルギーです。
1.515×10−18J÷(5.05078×10−27J)＝3×108
この計算により、クオークと見做される電磁気は地表の電磁気の3×108倍のエネルギーになっていることが立証できます。
クオークと見做されるものは高エネルギー加速器で衝突させ放出させた状態で存在できるものであり、地表の陽子の中や電子の中に存在しない。
もし、uクオークを3.1MeV〜1.7MeVとするならば、クオークと見做される高エネルギーの物は、地表の陽子の中や電子の中に存在しない。
但し、エネルギーを3×108分の1にすると、地表の陽子の中や電子の中に存在する。
これらの事が証明できます。
まとめて表に示す。
クオークと見做される電磁気は地表の電磁気の3×108倍のエネルギーになっている証明
表２５
2017077066.tif 000031
【請求項１０】
高エネルギー加速器の中で陽子はどのように成っているか。
「請求項１」に於いて、高エネルギー加速器における、陽子の中の3.1MeVのクオークと見做される輪の状態。補正したものの表を示した。
高エネルギー加速器における、陽子の中の1.7MeVのクオークと見做される輪の状態。補正したものの表を示した。
高エネルギー加速器における、陽子の中の1.491MeVのクオークと見做される輪の状態。補正したものの表を示した。
それをまとめて表に示す。
高エネルギー加速器における、陽子の中のクオークと見做される輪の状態
表２６
2017077066.tif 000032
それで、高エネルギー加速器の中で陽子は次のようになっている。
外側の軌道は0.1362MeV の軌道で、1.926×10−22mです。この軌道を3.491×10−23Jの電気の光子が4.34×104回転で1束に成り、その束が1.44×104束に成り回転している。
束ねている磁気の光子の軌道は、1.926×10−22m×3.14÷(4.34×104)＝1.393×10−26mです。
1.491MeVの軌道は1.759×10−23mの軌道です。この軌道を3.822×10−22Jの電気の光子が4.34×104回転で1束に成り、その束が1.44×104束に成り回転している。
束ねている磁気の光子の軌道は、1.759×10−22m×3.14÷(4.34×104)＝1.273×10−26mです。
1.7MeVの軌道は1.543×10−23mの軌道です。この軌道を4.358×10−22J の電気の光子が4.34×104回転で1束に成り、その束が1.44×104束に成り回転している。
束ねている磁気の光子の軌道は、1.543×10−23m×3.14÷(4.34×104)＝1.116×10−27mです。
3.1MeVの軌道は8.461×10−24mの軌道です。この軌道を7.947×10−22J の電気の光子が4.34×104回転で1束に成り、その束が1.44×104束に成り回転している。
束ねている磁気の光子の軌道は、8.461×10−24m×3.14÷(4.34×104)＝6,122×10−28mです。
この内側の軌道を陽子のラブは自転し磁気の光子を作り公転し電気の光子を作っている。
【請求項１１】
クオークと見做される電磁気の輪から計算した地表の陽子の状態はどのようであるか。
この事については2015年6月10日に提出した、特願2015−117134の「請求項8」に記した。
クオークと見做される電磁気の輪から計算した地表の陽子の状態。補正したもの
表２７
2017077066.tif 000033
それで、地表の陽子は次のようになっている。
外側の軌道は4.540×10−10MeV の軌道で、5.778×10−14m です。この軌道を1.164×10−31Jの電気の光子が4.34×104回転で1束に成り、その束が1.44×104束に成り回転している。
束ねている磁気の光子の軌道は、5.778×10−14m×3.14÷(4.34×104)＝2.279×10−18mです。
4.971×10−9MeVの軌道は5.274×10−15mの軌道です。この軌道を1.275×10−30Jの電気の光子が4.34×104回転で1束に成り、その束が1.44×104束に成り回転している。
束ねている磁気の光子の軌道は、5.274×10−15m×3.14÷(4.34×104)＝3.816×10−19mです。
5.666×10−9MeVの軌道は4.629×10−15mの軌道です。この軌道を1.453×10−30Jの電気の光子が4.34×104回転で1束に成り、その束が1.44×104束に成り回転している。
束ねている磁気の光子の軌道は、4.629×10−15m×3.14÷(4.34×104)＝3.349×10−19mです。
1.033×10−8MeVの軌道は2.538×10−15mの軌道です。この軌道を2.649×10−30Jの電気の光子が4.34×104回転で1束に成り、その束が1.44×104束に成り回転している。
束ねている磁気の光子の軌道は、2.538×10−15m×3.14÷(4.34×104)＝1.836×10−19mです。
この内側の軌道を陽子のラブは自転し磁気の光子を作り公転し電気の光子を作っている。
【請求項１２】
高エネルギー加速器の中で電子はどのように成っているか。
「請求項２」に於いて、高エネルギー加速器における、電子の中の5.7MeVのクオークと見做される輪の状態。補正したもの、の表を示した。
高エネルギー加速器における、陽子の中の5.323MeVのクオークと見做される輪の状態。補正したもの。の表を示した。
高エネルギー加速器における、陽子の中の4.1MeVのクオークと見做される輪の状態。補正したものの表を示した。
それをまとめて表に示す。
高エネルギー加速器における、電子の中のクオークと見做される輪の状態
表２８
2017077066.tif 000034
それで、高エネルギー加速器の中で電子は次のようになっている。
外側の軌道は0.7895MeV の軌道で、3.528×10−19mです。この軌道を3.495×10−23Jの電気の光子が7.96×107回転で1束に成り、その束が45.46束に成り回転している。
束ねている磁気の光子の軌道は、3.528×10−19m×3.14÷(7.96×107)＝1.392×10−26mです。
4.1MeV の軌道は6.793×10−20mです。この軌道を1.815×10−22Jの電気の光子が7.96×107回転で1束に成り、その束が45.46束に成り回転している。
束ねている磁気の光子の軌道は、6.793×10−20m×3.14÷(7.96×107)＝2.680×10−27mです。
5.323MeV の軌道は5.233×10−20mです。この軌道を2.356×10−22Jの電気の光子が7.96×107回転で1束に成り、その束が45.46束に成り回転している。
束ねている磁気の光子の軌道は、5.233×10−20m×3.14÷(7.96×107)＝2.064×10−27mです。
5.7MeV の軌道は4.887×10−20mです。この軌道を2.523×10−22Jの電気の光子が7.96×107回転で1束に成り、その束が45.46束に成り回転している。
束ねている磁気の光子の軌道は、4.887×10−20m ×3.14÷(7.96×107)＝1.928×10−27mです。
この内側の軌道を電子のラブは自転し磁気の光子を作り公転し電気の光子を作っている。
【請求項１３】
クオークと見做される電磁気の輪から計算した地表の電子の状態はどのようであるか。
この事については2015年6月10日に提出した、特願2015−117134の「請求項9」に記した。
クオークと見做される電磁気の輪から計算した地表の電子の状態。補正したもの
表２９
2017077066.tif 000035
それで、地表で電子は次のようになっている。
外側の軌道は2.632×10−9MeV の軌道で、1.058×10−10mです。この軌道を1.165×10−31Jの電気の光子が7.96×107回転で1束に成り、その束が45.46束に成り回転している。
束ねている磁気の光子の軌道は、1.058×10−10m×3.14÷(7.96×107)＝4.174×10−18mです。
1.366×10−8MeVの軌道は2.038×10−11mです。この軌道を6.050×10−31Jの電気の光子が7.96×107回転で1束に成り、その束が45.46束に成り回転している。
束ねている磁気の光子の軌道は、2.038×10−11m×3.14÷(7.96×107)＝8.039×10−19mです。
1.774×10−8MeVの軌道は1.570×10−11mです。この軌道を7.853×10−31Jの電気の光子が7.96×107回転で1束に成り、その束が45.46束に成り回転している。
束ねている磁気の光子の軌道は、1.570×10−11m×3.14÷(7.96×107)＝6.193×10−19mです。
1.900×10−8MeVの軌道は1.466×10−11mです。この軌道を8.410×10−31Jの電気の光子が7.96×107回転で1束に成り、その束が45.46束に成り回転している。
束ねている磁気の光子の軌道は、1.466×10−11m×3.14÷(7.96×107)＝5.783×10−19mです。
この内側の軌道を電子のラブは自転し磁気の光子を作り公転し電気の光子を作っている。
【請求項１４】
高エネルギー加速器で、電子と電子を衝突させて、電子の中から飛び出した物はクオークと見做される物とその他の物です。その他の物は何か。(陽子については、2015年10月1日に提出した、特願2015−195558の「請求項9」に記した)
電磁気の輪はその他にも存在する。
例えば、ボーア磁子が測定される電子の外側の軌道にも電磁気の輪が存在する。
そのエネルギーは、45.46束×9.274×10−24J×3×108×6.2415×1018eV=7.895×105eV=7.895×10−1MeV、です。
その他の電磁気の輪を仮に0.7895MeVと2MeVと3MeVとします。
0.7895MeVの場合は表１３に記したので、2MeVと3MeVの場合の状態も表に記す。
表３０
電子の中のその他の電磁気の輪
2017077066.tif 000036
これらの電磁気の輪も電子の中を回転している。
5.7MeV→5.323MeV→4.1MeV→3MeV→2MeV→0.7895MeVの順に大きい軌道になり回転している。
高エネルギー加速器で、電子と電子を衝突させたとき、これらの電磁気の輪が飛び出る。
電子のラブの軌道の近くを回転する電磁気の輪がクオークと見做されている。
【請求項１５】
特性X線は何を証明する物か。
内殻電子の外側の軌道のエネルギーは、外殻電子の外側の軌道のエネルギーより大きい。
内殻電子の外側の軌道は、外殻電子の外側の軌道より小さい。
それで、外殻電子が内殻電子の軌道に入り込むとき、余分な外側の軌道の部分を放出する。これが特性X線です。
それで、電子の外側には、軌道の小さい特性X線から軌道の大きい特性X線が並んで回転している。
例えば、金(Au)の電子の外側には、軌道が1.53×10−11m→1.55×10−11m(5個)→1.59×10−11m〜1.60×10−11m(15個)→1.80×10−11m(100個) →1.85×10−11m(50個)→9.27×10−11m(10個)→1.070×10−10m(20個)→1.083×10−10m(50個)→1.277×10−10m(110個)→1.288×10−10m(10個) →5.145×10−10m→5.623×10−10m→5.840×10−10m→5.854×10−10m→7.47×10−10mの順に並んでいる。
この事は電子のラブにこれらの軌道の電磁気(特性X線)が引き付けられて回転している事を証明する。
この事は、電子の中に存在するクオークと見做される電磁気の輪も、特性X線と同じように、電子のラブに引き付けられて回転している事を証明する。
金(Au)の電子の内側には、1.466×10−11mの軌道に、5.7クオークと見做される電磁気の輪から計算した地表の電磁気が回転するはずです。
1.570×10−11mの軌道に、5.323クオークと見做される電磁気の輪から計算した地表の電磁気が回転するはずです。
【請求項１６】
クオークと見做される電磁気の輪から計算した地表の電磁気の軌道より小さな軌道に特性X線は存在する。
5.7クオークと見做される電磁気の輪から計算した地表の電磁気の軌道は1.466×10−11mです。
5.323クオークと見做される電磁気の輪から計算した地表の電磁気の軌道は1.570×10−11mです。
4.1クオークと見做される電磁気の輪から計算した地表の電磁気の軌道は2.038×10−11mです。
0.7895MeVの電磁気の輪から計算した地表の電磁気の軌道は1.058×10−10mです。
Pb(82)のK吸収端は1.41×10−11mです。Bi(83)のK吸収端は1.37×10−11mです。Rn(8６)の K吸収端は1.26×10−11mです。Ra(88)の K吸収端は1.19×10−11mです。
クオークと見做される電磁気の輪から計算した地表の電磁気の軌道より小さな軌道に特性X線が存在する。
この事は、もし、Pb(82)の内殻の電子を、高エネルギー加速器にかけたら、5.7クオークより高エネルギーのクオークと見做される電磁気の輪が発見されるでしょう。
【発明の詳細な説明】
【技術分野】
【０００１】
本発明は、クオークとは何か。クオークと見做される電磁気の輪に関する。
【背景技術】
【０００２】
20015年10月1日に提出した、特願2015−195558に於いて、クオークと見做される電磁気の輪は、陽子の中の軌道を回転している電磁気の輪であると理解した。クオークと見做される電磁気の輪は、電子の中の軌道を回転している電磁気の輪であると理解した。
A＝(3×108)2の場で、陽子と陽子を衝突させると陽子の物が飛び出る。A=3×108の場でクオークと見做される電磁気の輪は存在する。A=3×108÷(1.44×104)＝2.083×104の場で束に成り存在する。A=0.48の場で電磁気として存在する。
クオークと見做されるものは、陽子の高エネルギーの軌道から飛び出した電磁気の輪です。
その他の電磁気の輪はそれより低エネルギーの軌道から飛び出した電磁気の輪です。
この事により、クオークと見做されている電磁気の輪は、核磁子が測定される陽子の外側の軌道にも存在する電磁気の輪と同じ種類のものであることが理解できる。
【先行技術文献】
【特許文献】
【０００３】
【特許文献１】特願2015−195558
【発明の概要】
【発明が解決しようとする課題】
【０００４】
1．高エネルギー加速器における、陽子の中のクオークと見做される輪の状態。補正したもの。
2．高エネルギー加速器における、電子の中のクオークと見做される輪の状態。補正したもの。
3．クオークと見做されるものは電磁気1個として存在するのか、束の集合体として存在するのか。電磁気の集合体として存在するのか。電磁気とはいかなるものか。
4．場のエネルギーにより、電子の中のクオークと見做される物のエネルギーはどのように変化するか。(陽子の場合については、2015年10月1日に提出した、特願2015−195558の「請求項7」に記した)
5．場のエネルギーと、電子の中から放出したクオークと見做されている電磁気の輪の変化とそれに伴う変化した物の軌道の変化と数の変化。
6．場のエネルギーと、陽子の中から放出したクオークと見做されている電磁気の輪の変化とそれに伴う変化した物の軌道の変化と数の変化。
7．高エネルギー加速器の中でできた、電子の中のクオークと見做される電磁気の輪は場のエネルギーの変化によりどのように成っているか。1束に成るとどのようになっているか。1電磁気に成るとどのようになるか。
8．高エネルギー加速器の中でできた、陽子の中のクオークと見做される電磁気の輪は場のエネルギーの変化によりどのように成っているか。1束に成るとどのようになっているか。1電磁気に成るとどのようになるか。
9．クオークと見做される電磁気は地表の電磁気の3×108倍のエネルギーになっている事の証明。
10．高エネルギー加速器の中で陽子はどのように成っているか。
11．クオークと見做される電磁気の輪から計算した地表の陽子の状態はどのようであるか。
12．高エネルギー加速器の中で電子はどのように成っているか。
13．クオークと見做される電磁気の輪から計算した地表の電子の状態はどのようであるか。
14．高エネルギー加速器で、電子と電子を衝突させて、電子の中から飛び出した物はクオークと見做される物とその他の物です。その他の物は何か。(陽子については、2015年10月1日に提出した、特願2015−195558の「請求項9」に記した)
15．特性X線は何を証明する物か。
16．クオークと見做される電磁気の輪から計算した地表の電磁気の軌道より小さな軌道に特性X線が存在する。
【課題を解決するための手段】
【０００５】
１．陽子のラブは4.34×104自転で1公転する。4.34×104公転でできる電磁気を1束とする。電磁気が4.34×104個で1束とする。
2．各々の輪には1束が7.96×107個の電磁気である束が存在する。
輪の中の束数＝輪の電磁気数÷1束の電磁気数＝3.619×109個÷(7.96×107個)＝4.546×10束存在する。
3．a.は、A=0.480の場では、6.250×108個の電磁気である物が、A=3×108の場では6.250×108分の１に凝縮されているということです。
b.は、A=2.083×104の場では、1.44×104束である物が、A=3×108の場では1.44×104分の１に凝縮されているということです。
c.は、6.250×108個の電磁気である物が、A=3×108の場ではそのまま固まって存在するということです。
a.b.c.いずれの場合も成立します。
4．場のエネルギーに相当するものよりその場には存在できない。
場のエネルギーにあわせて、クオークと見做される電磁気の輪も存在する。
場のエネルギーが減少すると、クオークと見做される電磁気の輪は存在できず、エネルギーの小さいものに変化する。
5．計算の1例を示す。A=3×108の場で、5.7MeVの電磁気の輪のエネルギーは9.132×10−13Jです。
この輪の電気の光子の軌道は、1.233×10−41Jm÷(9.132×10−13J)＝1.350×10−29m、です。
磁気の光子の軌道＝電気の光子の軌道×3.14÷(7.96×107回)＝1.350×10−29m×3.14÷(7.96×107回)＝5.325×10−37m。
6．計算の1例を示す。A=3×108の場で、3.1MeVの電磁気の輪のエネルギーは4.967×10−13Jです。
この輪の電気の光子の軌道＝1.233×10−41Jm÷(4.967×10−13J)＝2.482×10−29m。
磁気の光子の軌道＝電気の光子の軌道×3.14÷(4.34×104回)＝2.482×10−29m×3.14÷(4.34×104回)＝1.796×10−33m。
7．課題5の表より説明する。
8．課題6の表より説明する。
9．1束のエネルギーは、7.947×10−22J×4.34×104個＝3.449×10−17Jです。
これは核磁子が測定される陽子の外側のエネルギーの、3.1MeV÷0.1362MeV=22.761倍です。
それで、核磁子が測定される陽子の外側のエネルギーは、3.449×10−17J÷22.761＝1.515×10−18Jです。
このエネルギーは、電磁気に成った場合も地表の電磁気の3×108倍のエネルギーを持っているエネルギーです。
1.515×10−18J÷(5.05078×10−27J)＝3×108
10．「請求項１」に於いて、高エネルギー加速器における、陽子の中のクオークと見做される輪の状態。補正したものの表を示した。その表を基に考える。
11．2015年6月10日に提出した、特願2015−117134の「請求項8」に記した表を基に考える。
12．「請求項２」に於いて、高エネルギー加速器における、電子の中のクオークと見做される輪の状態。補正したものの表を示した。その表を基に考える。
13．2015年6月10日に提出した、特願2015−117134の「請求項9」に記した、表を基に考える。
14．電磁気の輪はその他にも存在する。例えば、ボーア磁子が測定される電子の外側の軌道にも電磁気の輪が存在する。
その他の電磁気の輪を仮に0.7895MeVと2MeVと3MeVとします。
15．電子の外側には、軌道の小さい特性X線から軌道の大きい特性X線が並んで回転している。
16．Pb(82)のK吸収端は1.41×10−11mです。Bi(83)のK吸収端は1.37×10−11mです。Rn(8６)の K吸収端は1.26×10−11mです。Ra(88)の K吸収端は1.19×10−11mです。
【発明の効果】
【０００６】
1．表に示す。
2．表に示す。
3．この事は、電磁気は凝縮する性質を持つ。ということです。私はこれを定理(真実)とします。
4．表に示す。
5．表に示す。
6．表に示す。
7．図に示す。
8．7に準ずる。
9．表に示す。
10．図に示す。
11．図に示す。
12．表に示す。
13．表に示す。
14．表に示す。
15．この事は、電子の中に存在するクオークと見做される電磁気の輪も、特性X線と同じように、電子のラブに引き付けられて回転している事を証明する。
16．もし、Pb(82)の内殻の電子を、高エネルギー加速器にかけたら、5.7クオークより高エネルギーのクオークと見做される電磁気の輪が発見されるでしょう。
【図面の簡単な説明】
【０００７】
【図１】図１は高エネルギー加速器の中でできた、電子の中のクオークと見做される電磁気の輪は場のエネルギーの変化によりどのように成っているか。1束に成るとどのようになっているか。1電磁気に成るとどのようになるかを図示する。・5.7MeVのクオークと見做される電磁気の輪の場合。A=3×108の場で、5.7MeVのクオークと見做される電磁気の輪のエネルギーは5.7MeV＝9.132×10−13Jです。この輪の電気の光子の軌道は1.350×10−29mで、1.350×10−29mで回転しています。この電気の光子に垂直の方向に磁気の光子は軌道が5.325×10−37mで7.96×107回回転し1周しています。この電磁気の輪は、A=3×108÷(45.46)＝6.599×106の場で解体され、45.46束に成ります。この1束の電磁気のエネルギーは2.008×10−14Jです。この1束の電気の光子の軌道は6.140×10―28mで、6.140×10―28mで回転しています。この電気の光子に垂直の方向に磁気の光子は軌道が2.422×10−35m で7.96×107回回転し1周しています。この電磁気の束は更に低エネルギーの場で解体されます。更に低エネルギーの場では、自分のエネルギーを2.008×10−14Jとして保持できないからです。A=6.599×106÷(7.96×107)＝8.290×10−2の場で、1束の電磁気は45.46束×7.96×107個＝3.619×109個の電磁気に解体されます。この1個の電磁気のエネルギーは、2.523×10−22Jです。この1個の電気の光子の軌道は4.887×10−20mで、4.887×10−20mで回転しています。この電気の光子に垂直の方向に磁気の光子は軌道が1.928×10−27mで7.96×107回回転し1周しています。
【図２】図２は高エネルギー加速器の中で陽子は次のようになっている。外側の軌道は0.1362MeV の軌道で、1.926×10−22mです。この軌道を3.491×10−23Jの電気の光子が4.34×104回転で1束に成り、その束が1.44×104束に成り回転している。束ねている磁気の光子の軌道は、1.926×10−22m×3.14÷(4.34×104)＝1.393×10−26mです。1.491MeVの軌道は1.759×10−23mの軌道です。この軌道を3.822×10−22Jの電気の光子が4.34×104回転で1束に成り、その束が1.44×104束に成り回転している。束ねている磁気の光子の軌道は、1.759×10−22m×3.14÷(4.34×104)＝1.273×10−26mです。1.7MeVの軌道は1.543×10−23mの軌道です。この軌道を4.358×10−22J の電気の光子が4.34×104回転で1束に成り、その束が1.44×104束に成り回転している。束ねている磁気の光子の軌道は、1.543×10−23m×3.14÷(4.34×104)＝1.116×10−27mです。3.1MeVの軌道は8.461×10−24mの軌道です。この軌道を7.947×10−22J の電気の光子が4.34×104回転で1束に成り、その束が1.44×104束に成り回転している。束ねている磁気の光子の軌道は、8.461×10−24m×3.14÷(4.34×104)＝6,122×10−28mです。この内側の軌道を陽子のラブは自転し磁気の光子を作り公転し電気の光子を作っている。
【図３】図3は地表の陽子は次のようになっている。外側の軌道は4.540×10−10MeV の軌道で、5.778×10−14m です。この軌道を1.164×10−31Jの電気の光子が4.34×104回転で1束に成り、その束が1.44×104束に成り回転している。束ねている磁気の光子の軌道は、5.778×10−14m×3.14÷(4.34×104)＝2.279×10−18mです。4.971×10−9MeVの軌道は5.274×10−15mの軌道です。この軌道を1.275×10−30Jの電気の光子が4.34×104回転で1束に成り、その束が1.44×104束に成り回転している。束ねている磁気の光子の軌道は、5.274×10−15m×3.14÷(4.34×104)＝2.080×10−19mです。5.666×10−9MeVの軌道は4.629×10−15mの軌道です。この軌道を1.453×10−30Jの電気の光子が4.34×104回転で1束に成り、その束が1.44×104束に成り回転している。束ねている磁気の光子の軌道は、4.629×10−15m×3.14÷(4.34×104)＝3.349×10−19mです。1.033×10−8MeVの軌道は2.538×10−15mの軌道です。この軌道を2.649×10−30Jの電気の光子が4.34×104回転で1束に成り、その束が1.44×104束に成り回転している。束ねている磁気の光子の軌道は、2.538×10−15m×3.14÷(4.34×104)＝1.836×10−19mです。この内側の軌道を陽子のラブは自転し磁気の光子を作り公転し電気の光子を作っている。
【発明を実施するための形態】
【０００８】
１．    高エネルギー加速器における、陽子の中のクオークと見做される輪の状態。補正したもの。
2015年6月10日に提出した、特願2015−117134、「高エネルギー加速器で観察されるもの８」の「請求項８」地表における陽子の中はどのようであるか、に於いて次のように記した。
高エネルギー加速器における、陽子の中の輪の状態(高エネルギー加速器で、クオークと見做される陽子のラブに引かれて回転している輪のエネルギーから、陽子の中はどのようになっているかを考えます)表33を記した。
陽子のラブは4.34×104自転で1公転する。4.34×104公転でできる電磁気を1束とする。電磁気が4.34×104個で1束とする。
輪の中の束数＝輪の電磁気数÷1束の電磁気数＝6.248×108個÷(4.34×104個)＝1.440×104束、です。
地表の陽子の輪の状態。補正したもの。表35を示した。
しかし、高エネルギー加速器に於いて、輪(クオークと見做されているもの)のエネルギー、3.1MeV、1.7MeV、1.491MeVの場合について、補正した表は提示していなかった。
それで、ここに、3.1MeV、1.7MeV、1.491MeVの場合について、補正した表を記す。
陽子のラブは4.34×104自転で1公転する。4.34×104公転でできる電磁気を1束とする。電磁気が4.34×104個で1束とする。
輪の中の束数＝輪の電磁気数÷1束の電磁気数＝6.248×108個÷(4.34×104個)＝1.440×104束、です。
高エネルギー加速器における、陽子の中の3.1MeVのクオークと見做される輪の状態。補正したもの。
表１
2017077066.tif 000003
高エネルギー加速器における、陽子の中の1.7MeVのクオークと見做される輪の状態。補正したもの。
表２
2017077066.tif 000004
高エネルギー加速器における、陽子の中の1.491MeVのクオークと見做される輪の状態。補正したもの。
表３
2017077066.tif 000005
２．    高エネルギー加速器における、電子の中のクオークと見做される輪の状態。補正したもの。
2015年6月10日に提出した、特願2015−117134、「高エネルギー加速器で観察されるもの８」の「請求項９」地表における電子の中はどのようであるか、に於いて次のように記した。
高エネルギー加速器における、電子の中の輪の状態(高エネルギー加速器で、クオークと見做される電子のラブに引かれて回転している輪のエネルギーから、電子の中はどのようになっているかを考えます)表36を記した。
それで、1束の電磁気の個数を7.96×107個とする。
これは、電子のラブは1公転で7.96×107回自転し、1秒間に(7.96×107)3回自転し、(7.96×107)2回公転するからです。
(7.96×107)公転でできる電磁気が1束に成っていると考える。
各々の輪には1束が7.96×107個の電磁気である束が存在する。
輪の中の束数＝輪の電磁気数÷1束の電磁気数＝3.619×109個÷(7.96×107個)＝4.546×10束存在する。
高エネルギー加速器における、電子の中の5.7MeVのクオークと見做される輪の状態。補正したもの。
表４
2017077066.tif 000006
高エネルギー加速器における、電子の中の5.323MeVのクオークと見做される輪の状態。補正したもの。
表５
2017077066.tif 000007
高エネルギー加速器における、電子の中の4.1MeVのクオークと見做される輪の状態。補正したもの。
表６
2017077066.tif 000008
３．    クオークと見做されるものは電磁気1個として存在するのか、束の集合体として存在するのか。電磁気の集合体として存在するのか。電磁気とはいかなるものか。
クオークと見做されるものは高エネルギー加速器で衝突させ放出させた状態で存在できるものであり、地表の陽子の中や電子の中に存在しない。
もし、uクオークを3.1MeV〜1.7MeVとするならば、クオークと見做される高エネルギーの物は、地表の陽子の中や電子の中に存在しない。
但し、エネルギーを3×108分の1にすると、地表の陽子の中や電子の中に存在する。
はたしてクオークと見做されているものはどのようなものなのでしょうか。
私は、クオークは素粒子ではないと考えているので、クオークと見做されているものと表現しています。
クオークと見做されているものは電磁気の輪です。
例えば、3.1MeVのクオークと見做されているものについて考えます。
A=3×108の場である、高エネルギー加速器の中で、クオークと見做される3.1MeVの電磁気の輪は4.967×10−13Jの電磁気であり、軌道は2.482×10−29mです。
クオークと見做される3.1MeVの電磁気の輪は次の3種類の物として認識される。
a.電磁気1個の状態として存在している。  
b.束の集合体として存在している。
c.6.250×108個の電磁気として存在している。
a.は、A=0.480の場では、6.250×108個の電磁気である物が、A=3×108の場では6.250×108分の１に凝縮されているということです。
b.は、A=2.083×104の場では、1.44×104束である物が、A=3×108の場では1.44×104分の１に凝縮されているということです。
c.は、6.250×108個の電磁気である物が、A=3×108の場ではそのまま固まって存在するということです。
a.b.c.いずれの場合も成立します。
ビッグバンに近い場に成るに従い、電磁気のエネルギーは高くなります。
この事は、電磁気は凝縮する性質を持つ。ということです。
私はこれを定理(真実)とします。
低エネルギーの場では、電磁気の集合体は少ない。電磁気は弛緩して低エネルギー体になる。
高エネルギーの場では、電磁気の集合体は多くなる。電磁気は凝縮して高エネルギー体に成る。
この事を示す式が、電磁気のエネルギー×軌道＝1.233×10−41Jm。の式です。
軌道が大きい事は電磁気が弛緩している。それで低エネルギーに成る。
軌道が小さい事は電磁気が凝縮している。それで高エネルギーに成る。
電磁気の軌道が10−10mで10−31Jです。
電磁気の軌道が10−30mで10−11Jです。
電磁気の軌道が10−10mに弛緩している。それで低エネルギーに成る。
電磁気の軌道が10−30mに凝縮している。それで高エネルギーに成る。
私は今まで、電気の光子の軌道エネルギーの式を1個の電気の光子だけの式と考えてきました。
しかし、クオークを考えるとき、電磁気の集合体の場合でも、この式は適応できるのであることを知りました。
そして、電磁気はいくらでも、その場のエネルギーにあわせて、凝縮でき、弛緩できる事を知りました。
この事により、電子のラブは電磁気の凝縮によりできたということが認識できます。
電磁気は高エネルギーの場では凝縮し、高エネルギーに成り、低エネルギーの場では弛緩し、低エネルギーに成る。
電磁気は高エネルギーの場では凝縮し軌道を小さくし、高エネルギーに成り、低エネルギーの場では弛緩し軌道を大きくし、低エネルギーに成る。
高エネルギーの場は高軌道エネルギーの場であり、引力は大きい。
その事によって、その場の物は凝縮する。物は凝縮し、軌道を小さくするので、高エネルギー体に成る。
低エネルギーの場は低軌道エネルギーの場であり、引力は小さい。
その事によって、その場の物は弛緩する。物は弛緩し、軌道を大きくするので、低エネルギー体に成る。
４．    場のエネルギーにより、電子の中のクオークと見做される物のエネルギーはどのように変化するか。(陽子の場合については、2015年10月1日に提出した、特願2015−195558の「請求項7」に記した)
場のエネルギーにより、クオークと見做される輪のエネルギーは変化する。
・高エネルギー加速器の中で光速に加速された電子と電子が衝突する。この場のA=(3×108)2です。
A=(3×108)2の場で電子は解体する。
・A=3×108の場で電子の中のクオークと見做される電磁気の輪が存在する。
場のエネルギーに相当するものよりその場には存在できない。
場のエネルギーにあわせて、クオークと見做される電磁気の輪も存在する。
場のエネルギーが減少すると、クオークと見做される電磁気の輪は存在できず、エネルギーの小さいものに変化する。
・A=3×108÷(45.46)＝6.599×106の場で、クオークと見做される電磁気の輪は45.65分の1のエネルギーに成り、1束のエネルギーに成る。
クオークと見做される電磁気の輪は、束に分解される。このエネルギーの場では束として存在できる。
・A=6.599×106÷(7.96×107)＝8.290×10−2の場で、束の7.96×107分の1のエネルギーに成るので、電磁気1個のエネルギーに成る。
束は電磁気に分解される。このエネルギーの場では電磁気として存在できる。
・5.7MeVの電磁気の輪の場合。
A=3×108の場で、5.7MeV＝5.7×106×1.60218×10−19J=9.132×10−13J。これは電磁気の輪のエネルギーです。
この場では輪として存在する。
A=3×108÷(45.46)＝6.599×106の場で、9.132×10−13J÷(45.46)＝2.008×10−14J。これは1束のエネルギーです。
この場では束として存在する。
A=6.599×106÷(7.96×107)＝8.290×10−2の場で、2.008×10−14J÷(7.96×107)＝2.523×10−22J。これは1個の電磁気のエネルギーです。
この場では電磁気として存在する。
・5.324MeVの電磁気の輪の場合。
A=3×108の場で、5.324MeV＝5.324×106×1.60218×10−19J=8.530×10−13J。これは電磁気の輪のエネルギーです。
A=3×108÷(45.46)＝6.599×106の場で、8.530×10−13J÷(45.46)＝1.876×10−14J。これは1束のエネルギーです。
A=6.599×106÷(7.96×107)＝8.290×10−2の場で、1.876×10−14J÷(7.96×107)＝2.357×10−22J。これは1個の電磁気のエネルギーです。
・4.1MeVの電磁気の輪の場合。
A=3×108の場で、4.1MeV＝4.1×106×1.60218×10−19J=6.569×10−13J。これは電磁気の輪のエネルギーです。
A=3×108÷(45.46)＝6.599×106の場で、6.569×10−13J÷(45.46)＝1.445×10−14J。これは1束のエネルギーです。
A=6.599×106÷(7.96×107)＝8.290×10−2の場で、1.445×10−14J÷(7.96×107)＝1.815×10−22J。これは1個の電磁気のエネルギーです。
まとめて表に記す。
場のエネルギーと電子の中から放出したクオークと見做されている電磁気の輪の変化
表７
2017077066.tif 000009
５．    場のエネルギーと、電子の中から放出したクオークと見做されている電磁気の輪の変化とそれに伴う変化した物の軌道の変化と数の変化。
変化した物の軌道の変化と数の変化。
・5.7MeVの電磁気の輪の場合。
A=3×108の場で、5.7MeVの電磁気の輪のエネルギーは9.132×10−13Jです。
この輪の電気の光子の軌道は、1.233×10−41Jm÷(9.132×10−13J)＝1.350×10−29m、です。
磁気の光子の軌道＝電気の光子の軌道×3.14÷(7.96×107回)＝1.350×10−29m×3.14÷(7.96×107回)＝5.325×10−37m。
A=3×108÷(45.46)＝6.599×106の場で、1束の電磁気のエネルギーは2.008×10−14Jです。
この1束の電気の光子の軌道は、1.233×10−41Jm÷(2.008×10−14J)＝6.140×10―28m、です。
磁気の光子の軌道＝電気の光子の軌道×3.14÷(7.96×107回)＝6.140×10−28m×3.14÷(7.96×107回)＝2.422×10−35m。
1個のクオークと見做されている電磁気の輪から、45.46束の電磁気ができます。
A=6.599×106÷(7.96×107)＝8.290×10−2の場で、1個の電磁気のエネルギーは2.523×10−22Jです。
この1個の電気の光子の軌道は、1.233×10−41Jm÷(2.523×10−22J)＝4.887×10−20m、です。
磁気の光子の軌道＝電気の光子の軌道×3.14÷(7.96×107回)＝4.887×10−20m×3.14÷(7.96×107回)＝1.928×10−27m。
1個のクオークと見做されている電磁気の輪から、45.46×7.96×107＝3.619×109個の電磁気ができます。
・5.324MeVの電磁気の輪の場合。
A=3×108の場で、5.324MeVの電磁気の輪のエネルギーは8.530×10−13J です。
この輪の電気の光子の軌道は、1.233×10−41Jm÷(8.530×10−13J)＝1.445×10−29m、です。
磁気の光子の軌道＝電気の光子の軌道×3.14÷(7.96×107回)＝1.445×10−29m×3.14÷(7.96×107回)＝5.700×10−37m。
A=3×108÷(45.46)＝6.599×106の場で、1束の電磁気のエネルギーは1.876×10−14Jです。
この束の電気の光子の軌道は、1.233×10−41Jm÷(1.876×10−14J)＝6.572×10―28m、です。
磁気の光子の軌道＝電気の光子の軌道×3.14÷(7.96×107回)＝6.572×10―28m×3.14÷(7.96×107回)＝2.592×10−35m。
1個のクオークと見做されている電磁気の輪から、45.46束の電磁気ができます。
A=6.599×106÷(7.96×107)＝8.290×10−2の場で、1個の電磁気のエネルギーは2.357×10−22Jです。
この1個の電磁気の軌道は、1.233×10−41Jm÷(2.357×10−22J)＝5.231×10−20m、です。
磁気の光子の軌道＝電気の光子の軌道×3.14÷(7.96×107回)＝5.231×10−20m×3.14÷(7.96×107回)＝2.063×10−27m。
1個のクオークと見做されている電磁気の輪から、45.46×7.96×107＝3.619×109個の電磁気ができます。
・4.1 MeVの電磁気の輪の場合。
A=3×108の場で、4.1MeVの電磁気の輪のエネルギーは 6.569×10−13Jです。
この輪の電気の光子の軌道は、1.233×10−41Jm÷(6.569×10−13J)＝1.877×10−29m、です。
磁気の光子の軌道＝電気の光子の軌道×3.14÷(7.96×107回)＝1.877×10−29m×3.14÷(7.96×107回)＝7.404×10−37m。
A=3×108÷(45.46)＝6.599×106の場で、1束の電磁気のエネルギーは1.445×10−14J です。
この束の電気の光子の軌道は、1.233×10−41Jm÷(1.445×10−14J)＝8.533×10―28m、です。
磁気の光子の軌道＝電気の光子の軌道×3.14÷(7.96×107回)＝8.533×10―28m×3.14÷(7.96×107回)＝3.366×10−35m。
1個のクオークと見做されている電磁気の輪から、45.46束の電磁気ができます。
A=6.599×106÷(7.96×107)＝8.290×10−2の場で、1個の電磁気のエネルギーは1.815×10−22Jです。
この1個の電気の光子の軌道は、1.233×10−41Jm÷(1.815×10−22J)＝6.793×10−20m、です。
磁気の光子の軌道＝電気の光子の軌道×3.14÷(7.96×107回)＝6.793×10−20m×3.14÷(7.96×107回)＝2.680×10−27m。
1個のクオークと見做されている電磁気の輪から、45.46×7.96×107＝3.619×109個の電磁気ができます。
まとめて表に示す。
場のエネルギーと、電子の中から放出したクオークと見做されている電磁気の輪の変化とそれに伴う変化した物の軌道の変化と数
表８
2017077066.tif 000010
2017077066.tif 000011
６．    場のエネルギーと、陽子の中から放出したクオークと見做されている電磁気の輪の変化とそれに伴う変化した物の軌道の変化と数の変化。
(2015年10月1日に提出した、特願2015−195558の「請求項７」に於いて、場のエネルギーとクオークと見做されている電磁気の輪のエネルギーの変化を示した)
変化した物の軌道の変化と数の変化。
・3.1MeVの電磁気の輪の場合。
A=3×108の場で、3.1MeVの電磁気の輪のエネルギーは4.967×10−13Jです。
この輪の電気の光子の軌道＝1.233×10−41Jm÷(4.967×10−13J)＝2.482×10−29m。
磁気の光子の軌道＝電気の光子の軌道×3.14÷(4.34×104回)＝2.482×10−29m×3.14÷(4.34×104回)＝1.796×10−33m。
A=3×108÷(1.44×104)＝2.083×104の場で、1束の電磁気のエネルギーは 3.449×10−17Jです。
この束の電気の光子の軌道＝1.233×10−41Jm÷(3.449×10−17J)＝3.575×10−25m。
磁気の光子の軌道＝電気の光子の軌道×3.14÷(4.34×104回)＝3.575×10−25m×3.14÷(4.34×104回)＝2.587×10−29m。
A=2.083×104÷(4.34×104)＝0.480の場で、1個の電磁気のエネルギーは7.947×10−22Jです。
この1個の電気の光子の軌道＝1.233×10−41Jm÷(7.947×10−22J)＝1.552×10−20m。
磁気の光子の軌道＝電気の光子の軌道×3.14÷(4.34×104回)＝1.552×10−20m×3.14÷(4.34×104回)＝1.123×10−24m。
・1.7MeVの電磁気の輪の場合。
A=3×108の場で、1.7MeVの電磁気の輪のエネルギーは2.724×10−13Jです。
この輪の電気の光子の軌道＝1.233×10−41Jm÷(2.724×10−13J)＝4.526×10−29m。
磁気の光子の軌道＝電気の光子の軌道×3.14÷(4.34×104回)＝4.526×10−29m×3.14÷(4.34×104回)＝3.275×10−33m。
A=3×108÷(1.44×104)＝2.083×104の場で、1束の電磁気のエネルギーは 1.892×10−17Jです。
この束の電気の光子の軌道＝1.233×10−41Jm÷(1.892×10−17J)＝6.517×10−25m。
磁気の光子の軌道＝電気の光子の軌道×3.14÷(4.34×104回)＝6.517×10−25m×3.14÷(4.34×104回)＝4.715×10−29m。
A=2.083×104÷(4.34×104)＝0.480の場で、1個の電磁気のエネルギーは4.359×10−22Jです。
この1個の電気の光子の軌道＝1.233×10−41Jm÷(4.359×10−22J)＝2.829×10−20m。
磁気の光子の軌道＝電気の光子の軌道×3.14÷(4.34×104回)＝2.829×10−20m×3.14÷(4.34×104回)＝2.047×10−24m。
・1.491 MeVの電磁気の輪の場合。
A=3×108の場で、1.491 MeVの電磁気の輪のエネルギーは2.389×10−13Jです。
この輪の電気の光子の軌道＝1.233×10−41Jm÷(2.389×10−13J)＝5.161×10−29m。
磁気の光子の軌道＝電気の光子の軌道×3.14÷(4.34×104回)＝5.161×10−29m×3.14÷(4.34×104回)＝3.734×10−33m。
A=3×108÷(1.44×104)＝2.083×104の場で、1束の電磁気のエネルギーは 1.659×10−17Jです。
この束の電気の光子の軌道＝1.233×10−41Jm÷(1.659×10−17J)＝7.432×10−25m。
磁気の光子の軌道＝電気の光子の軌道×3.14÷(4.34×104回)＝7.432×10−25m×3.14÷(4.34×104回)＝5.377×10−29m。
A=2.083×104÷(4.34×104)＝0.480の場で、1個の電磁気のエネルギーは3.823×10−22Jです。
この1個の電気の光子の軌道＝1.233×10−41Jm÷(3.823×10−22J)＝3.225×10−20m。
磁気の光子の軌道＝電気の光子の軌道×3.14÷(4.34×104回)＝3.225×10−20m×3.14÷(4.34×104回)＝2.333×10−24m。
まとめて表に示す。
場のエネルギーと、陽子の中から放出したクオークと見做されている電磁気の輪の変化とそれに伴う変化した物の軌道の変化と数
表９
2017077066.tif 000012
2017077066.tif 000013
７．    高エネルギー加速器の中でできた、電子の中のクオークと見做される電磁気の輪は場のエネルギーの変化によりどのように成っているか。1束に成るとどのようになっているか。1電磁気に成るとどのようになるか。
・5.7MeVのクオークと見做される電磁気の輪の場合。
A=3×108の場で、5.7MeVのクオークと見做される電磁気の輪のエネルギーは5.7MeV＝9.132×10−13Jです。
この輪の電気の光子の軌道は1.350×10−29mで、1.350×10−29mで回転しています。この電気の光子に垂直の方向に磁気の光子は軌道が5.325×10−37mで7.96×107回回転し1周しています。
この電磁気の輪は、
A=3×108÷(45.46)＝6.599×106の場で解体され、45.46束に成ります。
この1束の電磁気のエネルギーは2.008×10−14Jです。
この1束の電気の光子の軌道は6.140×10―28mで、6.140×10―28mで回転しています。この電気の光子に垂直の方向に磁気の光子は軌道が2.422×10−35m で7.96×107回回転し1周しています。
この電磁気の束は更に低エネルギーの場で解体されます。更に低エネルギーの場では、自分のエネルギーを2.008×10−14Jとして保持できないからです。
A=6.599×106÷(7.96×107)＝8.290×10−2の場で、1束の電磁気は45.46束×7.96×107個＝3.619×109個の電磁気に解体されます。
この1個の電磁気のエネルギーは、2.523×10−22Jです。
この1個の電気の光子の軌道は4.887×10−20mで、4.887×10−20mで回転しています。この電気の光子に垂直の方向に磁気の光子は軌道が1.928×10−27mで7.96×107回回転し1周しています。
・5.324MeVのクオークと見做される電磁気の輪の場合。
A=3×108の場で、5.324MeVのクオークと見做される電磁気の輪のエネルギーは5.324MeV＝8.530×10−13Jです。
この輪の電気の光子の軌道は1.445×10−29mで、1.445×10−29mで回転しています。この電気の光子に垂直の方向に磁気の光子は軌道が5.700×10−37mで7.96×107回回転し1周しています。
この電磁気の輪は、
A=3×108÷(45.46)＝6.599×106の場で解体され、45.46束に成ります。
この1束の電磁気のエネルギーは1.876×10−14Jです。
この1束の電気の光子の軌道は6.572×10―28mで、6.572×10―28mで回転しています。この電気の光子に垂直の方向に磁気の光子は軌道が2.292×10−35mで7.96×107回回転し1周しています。
この電磁気の束は更に低エネルギーの場で解体されます。更に低エネルギーの場では、自分のエネルギーを1.876×10−14Jとして保持できないからです。
A=6.599×106÷(7.96×107)＝8.290×10−2の場で、1束の電磁気は45.46束×7.96×107個＝3.619×109個の電磁気に解体されます。
この1個の電磁気のエネルギーは、2.357×10−22Jです。
この1個の電気の光子の軌道は5.231×10−20mで、5.231×10−20mで回転しています。この電気の光子に垂直の方向に磁気の光子は軌道が2.063×10−27mで7.96×107回回転し1周しています。
・4.1MeVのクオークと見做される電磁気の輪の場合。
A=3×108の場で、4.1MeVのクオークと見做される電磁気の輪のエネルギーは4.1MeV＝6.569×10−13J です。
この輪の電気の光子の軌道は1.877×10−29mで、1.877×10−29mで回転しています。この電気の光子に垂直の方向に磁気の光子は軌道が7.404×10−37mで7.96×107回回転し1周しています。
この電磁気の輪は、
A=3×108÷(45.46)＝6.599×106の場で解体され、45.46束に成ります。
この1束の電磁気のエネルギーは1.445×10−14Jです。
この1束の電気の光子の軌道は8.533×10―28mで、8.533×10―28mで回転しています。この電気の光子に垂直の方向に磁気の光子は軌道が3.366×10−35mで7.96×107回回転し1周しています。
この電磁気の束は更に低エネルギーの場で解体されます。更に低エネルギーの場では、自分のエネルギーを1.445×10−14Jとして保持できないからです。
A=6.599×106÷(7.96×107)＝8.290×10−2の場で、1束の電磁気は45.46束×7.96×107個＝3.619×109個の電磁気に解体されます。
この1個の電磁気のエネルギーは、1.815×10−22Jです。
この1個の電気の光子の軌道は6.793×10−20mで、6.793×10−20mで回転しています。この電気の光子に垂直の方向に磁気の光子は軌道が2.680×10−27mで7.96×107回回転し1周しています。
８．    高エネルギー加速器の中でできた、陽子の中のクオークと見做される電磁気の輪は場のエネルギーの変化によりどのように成っているか。1束に成るとどのようになっているか。1電磁気に成るとどのようになるか。
・3.1MeVのクオークと見做される電磁気の輪の場合。
A=3×108の場で、3.1MeVのクオークと見做される電磁気の輪のエネルギーは3.1MeV＝4.967×10−13J です。
この輪の電気の光子の軌道は2.482×10−29m で、2.482×10−29m で回転しています。この電気の光子に垂直の方向に磁気の光子は軌道が1.796×10−33mで4.34×104回回転し1周しています。
この電磁気の輪は、
A=3×108÷(1.44×104)＝2.083×104の場で解体され、1.44×104束に成ります。
この1束の電磁気のエネルギーは3.449×10−17J です。
この1束の電気の光子の軌道は3.575×10−25mで、3.575×10−25mで回転しています。この電気の光子に垂直の方向に磁気の光子は軌道が2.587×10−29m で4.34×104回回転し1周しています。
この電磁気の束は更に低エネルギーの場で解体されます。更に低エネルギーの場では、自分のエネルギーを3.449×10−17Jとして保持できないからです。
A=2.083×104÷(4.34×104)＝0.480の場で、1束の電磁気は4.34×104個の電磁気に解体されます。
この1個の電磁気のエネルギーは、7.947×10−22Jです。
この1個の電気の光子の軌道は1.552×10−20mで、1.552×10−20mで回転しています。この電気の光子に垂直の方向に磁気の光子は軌道が1.123×10−24mで4.34×104回回転し1周しています。
・1.7MeVのクオークと見做される電磁気の輪の場合。
A=3×108の場で、3.1MeVのクオークと見做される電磁気の輪のエネルギーは1.7 MeV＝2.724×10−13J です。
この輪の電気の光子の軌道は4.526×10−29mで、 4.526×10−29mで回転しています。この電気の光子に垂直の方向に磁気の光子は軌道が3.275×10−33mで4.34×104回回転し1周しています。
この電磁気の輪は、
A=3×108÷(1.44×104)＝2.083×104の場で解体され、1.44×104束に成ります。
この1束の電磁気のエネルギーは1.892×10−17Jです。
この1束の電気の光子の軌道は6.517×10−25mで、6.517×10−25mで回転しています。この電気の光子に垂直の方向に磁気の光子は軌道が 4.715×10−29mで4.34×104回回転し1周しています。
この電磁気の束は更に低エネルギーの場で解体されます。更に低エネルギーの場では、自分のエネルギーを1.892×10−17Jとして保持できないからです。
A=2.083×104÷(4.34×104)＝0.480の場で、1束の電磁気は4.34×104個の電磁気に解体されます。
この1個の電磁気のエネルギーは、4.359×10−22Jです。
この1個の電気の光子の軌道は2.829×10−20mで、2.829×10−20mで回転しています。この電気の光子に垂直の方向に磁気の光子は軌道が2.047×10−24mで4.34×104回回転し1周しています。
・1.491MeVのクオークと見做される電磁気の輪の場合。
A=3×108の場で、3.1MeVのクオークと見做される電磁気の輪のエネルギーは1.491 MeV＝2.389×10−13J です。
この輪の電気の光子の軌道は5.161×10−29mで、 5.161×10−29mで回転しています。この電気の光子に垂直の方向に磁気の光子は軌道が3.734×10−33mで4.34×104回回転し1周しています。
この電磁気の輪は、
A=3×108÷(1.44×104)＝2.083×104の場で解体され、1.44×104束に成ります。
この1束の電磁気のエネルギーは1.659×10−17Jです。
この1束の電気の光子の軌道は7.432×10−25mで、7.432×10−25mで回転しています。この電気の光子に垂直の方向に磁気の光子は軌道が 5.377×10−29mで4.34×104回回転し1周しています。
この電磁気の束は更に低エネルギーの場で解体されます。更に低エネルギーの場では、自分のエネルギーを1.659×10−17Jとして保持できないからです。
A=2.083×104÷(4.34×104)＝0.480の場で、1束の電磁気は4.34×104個の電磁気に解体されます。
この1個の電磁気のエネルギーは、3.823×10−22Jです。
この1個の電気の光子の軌道は3.225×10−20mで、3.225×10−20m で回転しています。この電気の光子に垂直の方向に磁気の光子は軌道が2.333×10−24mで4.34×104回回転し1周しています。
９．    クオークと見做される電磁気は地表の電磁気の3×108倍のエネルギーになっている事の証明。
クオークと見做される電磁気輪が1個の電磁気に成った場合、1個の電磁気は地表の電磁気の3×108倍のエネルギーになっている。
解体されて、電磁気に成った場合も地表の電磁気の3×108倍のエネルギーを持っている。
陽子の中のクオークと見做されている電磁気の輪の電磁気は、
A=2.083×104で解体され、電磁気が4.34×104個集まる束に成る。
A=0.480で、束が解体されできた電磁気は、4.34×104個の電磁気に成り、1個の電磁気として存在する。
この1個の電磁気は、地表の電磁気の3×108倍のネルギーを持っている。
例えば、地表の核磁子は、1束で5.05078×10−27Jです。
3.1MeVのクオークと見做されている電磁気の輪は、
A=2.083×104÷(4.34×104)＝0.480の場で、1束の電磁気は4.34×104個の電磁気に解体されます。
この1個の電磁気のエネルギーは、7.947×10−22Jです。
1束のエネルギーは、7.947×10−22J×4.34×104個＝3.449×10−17Jです。
これは核磁子が測定される陽子の外側のエネルギーの、3.1MeV÷0.1362MeV=22.761倍です。
それで、核磁子が測定される陽子の外側のエネルギーは、3.449×10−17J÷22.761＝1.515×10−18Jです。
このエネルギーは、電磁気に成った場合も地表の電磁気の3×108倍のエネルギーを持っているエネルギーです。
1.515×10−18J÷(5.05078×10−27J)＝3×108
この計算により、クオークと見做される電磁気は地表の電磁気の3×108倍のエネルギーになっていることが立証できます。
クオークと見做されるものは高エネルギー加速器で衝突させ放出させた状態で存在できるものであり、地表の陽子の中や電子の中に存在しない。
もし、uクオークを3.1MeV〜1.7MeVとするならば、クオークと見做される高エネルギーの物は、地表の陽子の中や電子の中に存在しない。
但し、エネルギーを3×108分の1にすると、地表の陽子の中や電子の中に存在する。
これらの事が証明できます。
まとめて表に示す。
クオークと見做される電磁気は地表の電磁気の3×108倍のエネルギーになっている証明
表１０
2017077066.tif 000014
１０．    高エネルギー加速器の中で陽子はどのように成っているか。
「請求項１」に於いて、高エネルギー加速器における、陽子の中の3.1MeVのクオークと見做される輪の状態。補正したものの表を示した。
高エネルギー加速器における、陽子の中の1.7MeVのクオークと見做される輪の状態。補正したものの表を示した。
高エネルギー加速器における、陽子の中の1.491MeVのクオークと見做される輪の状態。補正したものの表を示した。
それをまとめて表に示す。
高エネルギー加速器における、陽子の中のクオークと見做される輪の状態
表１１
2017077066.tif 000015
それで、高エネルギー加速器の中で陽子は次のようになっている。
外側の軌道は0.1362MeV の軌道で、1.926×10−22mです。この軌道を3.491×10−23Jの電気の光子が4.34×104回転で1束に成り、その束が1.44×104束に成り回転している。
束ねている磁気の光子の軌道は、1.926×10−22m×3.14÷(4.34×104)＝1.393×10−26mです。
1.491MeVの軌道は1.759×10−23mの軌道です。この軌道を3.822×10−22Jの電気の光子が4.34×104回転で1束に成り、その束が1.44×104束に成り回転している。
束ねている磁気の光子の軌道は、1.759×10−22m×3.14÷(4.34×104)＝1.273×10−26mです。
1.7MeVの軌道は1.543×10−23mの軌道です。この軌道を4.358×10−22J の電気の光子が4.34×104回転で1束に成り、その束が1.44×104束に成り回転している。
束ねている磁気の光子の軌道は、1.543×10−23m×3.14÷(4.34×104)＝1.116×10−27mです。
3.1MeVの軌道は8.461×10−24mの軌道です。この軌道を7.947×10−22J の電気の光子が4.34×104回転で1束に成り、その束が1.44×104束に成り回転している。
束ねている磁気の光子の軌道は、8.461×10−24m×3.14÷(4.34×104)＝6,122×10−28mです。
この内側の軌道を陽子のラブは自転し磁気の光子を作り公転し電気の光子を作っている。
１１．    クオークと見做される電磁気の輪から計算した地表の陽子の状態はどのようであるか。
この事については2015年6月10日に提出した、特願2015−117134の「請求項8」に記した。
クオークと見做される電磁気の輪から計算した地表の陽子の状態。補正したもの
表１２
2017077066.tif 000016
それで、地表の陽子は次のようになっている。
外側の軌道は4.540×10−10MeV の軌道で、5.778×10−14m です。この軌道を1.164×10−31Jの電気の光子が4.34×104回転で1束に成り、その束が1.44×104束に成り回転している。
束ねている磁気の光子の軌道は、5.778×10−14m×3.14÷(4.34×104)＝2.279×10−18mです。
4.971×10−9MeVの軌道は5.274×10−15mの軌道です。この軌道を1.275×10−30Jの電気の光子が4.34×104回転で1束に成り、その束が1.44×104束に成り回転している。
束ねている磁気の光子の軌道は、5.274×10−15m×3.14÷(4.34×104)＝3.816×10−19mです。
5.666×10−9MeVの軌道は4.629×10−15mの軌道です。この軌道を1.453×10−30Jの電気の光子が4.34×104回転で1束に成り、その束が1.44×104束に成り回転している。
束ねている磁気の光子の軌道は、4.629×10−15m×3.14÷(4.34×104)＝3.349×10−19mです。
1.033×10−8MeVの軌道は2.538×10−15mの軌道です。この軌道を2.649×10−30Jの電気の光子が4.34×104回転で1束に成り、その束が1.44×104束に成り回転している。
束ねている磁気の光子の軌道は、2.538×10−15m×3.14÷(4.34×104)＝1.836×10−19mです。
この内側の軌道を陽子のラブは自転し磁気の光子を作り公転し電気の光子を作っている。
１２．    高エネルギー加速器の中で電子はどのように成っているか。
「請求項２」に於いて、高エネルギー加速器における、電子の中の5.7MeVのクオークと見做される輪の状態。補正したもの、の表を示した。
高エネルギー加速器における、陽子の中の5.323MeVのクオークと見做される輪の状態。補正したもの。の表を示した。
高エネルギー加速器における、陽子の中の4.1MeVのクオークと見做される輪の状態。補正したものの表を示した。
それをまとめて表に示す。
高エネルギー加速器における、電子の中のクオークと見做される輪の状態
表１３
2017077066.tif 000017
それで、高エネルギー加速器の中で電子は次のようになっている。
外側の軌道は0.7895MeV の軌道で、3.528×10−19mです。この軌道を3.495×10−23Jの電気の光子が7.96×107回転で1束に成り、その束が45.46束に成り回転している。
束ねている磁気の光子の軌道は、3.528×10−19m×3.14÷(7.96×107)＝1.392×10−26mです。
4.1MeV の軌道は6.793×10−20mです。この軌道を1.815×10−22Jの電気の光子が7.96×107回転で1束に成り、その束が45.46束に成り回転している。
束ねている磁気の光子の軌道は、6.793×10−20m×3.14÷(7.96×107)＝2.680×10−27mです。
5.323MeV の軌道は5.233×10−20mです。この軌道を2.356×10−22Jの電気の光子が7.96×107回転で1束に成り、その束が45.46束に成り回転している。
束ねている磁気の光子の軌道は、5.233×10−20m×3.14÷(7.96×107)＝2.064×10−27mです。
5.7MeV の軌道は4.887×10−20mです。この軌道を2.523×10−22Jの電気の光子が7.96×107回転で1束に成り、その束が45.46束に成り回転している。
束ねている磁気の光子の軌道は、4.887×10−20m ×3.14÷(7.96×107)＝1.928×10−27mです。
この内側の軌道を電子のラブは自転し磁気の光子を作り公転し電気の光子を作っている。
１３．    クオークと見做される電磁気の輪から計算した地表の電子の状態はどのようであるか。
この事については2015年6月10日に提出した、特願2015−117134の「請求項9」に記した。
クオークと見做される電磁気の輪から計算した地表の電子の状態。補正したもの
表１４
2017077066.tif 000018
それで、地表で電子は次のようになっている。
外側の軌道は2.632×10−9MeV の軌道で、1.058×10−10mです。この軌道を1.165×10−31Jの電気の光子が7.96×107回転で1束に成り、その束が45.46束に成り回転している。
束ねている磁気の光子の軌道は、1.058×10−10m×3.14÷(7.96×107)＝4.174×10−18mです。
1.366×10−8MeVの軌道は2.038×10−11mです。この軌道を6.050×10−31Jの電気の光子が7.96×107回転で1束に成り、その束が45.46束に成り回転している。
束ねている磁気の光子の軌道は、2.038×10−11m×3.14÷(7.96×107)＝8.039×10−19mです。
1.774×10−8MeVの軌道は1.570×10−11mです。この軌道を7.853×10−31Jの電気の光子が7.96×107回転で1束に成り、その束が45.46束に成り回転している。
束ねている磁気の光子の軌道は、1.570×10−11m×3.14÷(7.96×107)＝6.193×10−19mです。
1.900×10−8MeVの軌道は1.466×10−11mです。この軌道を8.410×10−31Jの電気の光子が7.96×107回転で1束に成り、その束が45.46束に成り回転している。
束ねている磁気の光子の軌道は、1.466×10−11m×3.14÷(7.96×107)＝5.783×10−19mです。
この内側の軌道を電子のラブは自転し磁気の光子を作り公転し電気の光子を作っている。
１４．    高エネルギー加速器で、電子と電子を衝突させて、電子の中から飛び出した物はクオークと見做される物とその他の物です。その他の物は何か。(陽子については、2015年10月1日に提出した、特願2015−195558の「請求項9」に記した)
電磁気の輪はその他にも存在する。
例えば、ボーア磁子が測定される電子の外側の軌道にも電磁気の輪が存在する。
そのエネルギーは、45.46束×9.274×10−24J×3×108×6.2415×1018eV=7.895×105eV=7.895×10−1MeV、です。
その他の電磁気の輪を仮に0.7895MeVと2MeVと3MeVとします。
0.7895MeVの場合は表１３に記したので、2MeVと3MeVの場合の状態も表に記す。
表１５
電子の中のその他の電磁気の輪
2017077066.tif 000019
これらの電磁気の輪も電子の中を回転している。
5.7MeV→5.323MeV→4.1MeV→3MeV→2MeV→0.7895MeVの順に大きい軌道になり回転している。
高エネルギー加速器で、電子と電子を衝突させたとき、これらの電磁気の輪が飛び出る。
電子のラブの軌道の近くを回転する電磁気の輪がクオークと見做されている。
１５．    特性X線は何を証明する物か。
内殻電子の外側の軌道のエネルギーは、外殻電子の外側の軌道のエネルギーより大きい。
内殻電子の外側の軌道は、外殻電子の外側の軌道より小さい。
それで、外殻電子が内殻電子の軌道に入り込むとき、余分な外側の軌道の部分を放出する。これが特性X線です。
それで、電子の外側には、軌道の小さい特性X線から軌道の大きい特性X線が並んで回転している。
例えば、金(Au)の電子の外側には、軌道が1.53×10−11m→1.55×10−11m(5個)→1.59×10−11m〜1.60×10−11m(15個)→1.80×10−11m(100個) →1.85×10−11m(50個)→9.27×10−11m(10個)→1.070×10−10m(20個)→1.083×10−10m(50個)→1.277×10−10m(110個)→1.288×10−10m(10個) →5.145×10−10m→5.623×10−10m→5.840×10−10m→5.854×10−10m→7.47×10−10mの順に並んでいる。
この事は電子のラブにこれらの軌道の電磁気(特性X線)が引き付けられて回転している事を証明する。
この事は、電子の中に存在するクオークと見做される電磁気の輪も、特性X線と同じように、電子のラブに引き付けられて回転している事を証明する。
金(Au)の電子の内側には、1.466×10−11mの軌道に、5.7クオークと見做される電磁気の輪から計算した地表の電磁気が回転するはずです。
1.570×10−11mの軌道に、5.323クオークと見做される電磁気の輪から計算した地表の電磁気が回転するはずです。
１６．    クオークと見做される電磁気の輪から計算した地表の電磁気の軌道より小さな軌道に特性X線は存在する。
5.7クオークと見做される電磁気の輪から計算した地表の電磁気の軌道は1.466×10−11mです。
5.323クオークと見做される電磁気の輪から計算した地表の電磁気の軌道は1.570×10−11mです。
4.1クオークと見做される電磁気の輪から計算した地表の電磁気の軌道は2.038×10−11mです。
0.7895MeVの電磁気の輪から計算した地表の電磁気の軌道は1.058×10−10mです。
Pb(82)のK吸収端は1.41×10−11mです。Bi(83)のK吸収端は1.37×10−11mです。Rn(8６)の K吸収端は1.26×10−11mです。Ra(88)の K吸収端は1.19×10−11mです。
クオークと見做される電磁気の輪から計算した地表の電磁気の軌道より小さな軌道に特性X線が存在する。
この事は、もし、Pb(82)の内殻の電子を、高エネルギー加速器にかけたら、5.7クオークより高エネルギーのクオークと見做される電磁気の輪が発見されるでしょう。
【産業上の利用可能性】
【０００９】
素粒子を知ることは元素を知る事であり、産業の根幹となっているものを理解する事です。
【符号の説明】
【００１０】
１    A=3×108の場
２    A=3×108÷45.46＝6.599×106の場
３    A=6.599×106÷(7.96×107)＝8.290×10−2の場
４    A=3×108の場で、5.7MeVのクオークと見做される電磁気の輪のエネルギーは5.7MeV＝9.132×10−13Jです。
この輪の電気の光子の軌道は1.350×10−29mで、1.350×10−29mで回転する
５    この電気の光子に垂直の方向に磁気の光子は軌道が5.325×10−37mで7.96×107回回転し1周する
６    A=3×108÷(45.46)＝6.599×106の場で解体され、45.46束に成る。
この1束の電磁気のエネルギーは2.008×10−14Jです。
この1束の電気の光子の軌道は6.140×10―28mで、6.140×10―28mで回転する
７    この電気の光子に垂直の方向に磁気の光子は軌道が5.325×10−37mで7.96×107回回転し1周する
８    A=6.599×106÷(7.96×107)＝8.290×10−2の場で、1束の電磁気は45.46束×7.96×107個＝3.619×109個の電磁気に解体される。
この1個の電磁気のエネルギーは、2.523×10−22Jです。
この1個の電気の光子の軌道は4.887×10−20mで、4.887×10−20mで回転する。
９    この電気の光子に垂直の方向に磁気の光子は軌道が1.928×10−27mで7.96×107回回転し1周する
１０    外側の軌道は0.1362MeV の軌道で、1.926×10−22mです。この軌道を3.491×10−23Jの電気の光子が4.34×104回転で1束に成り、その束が1.44×104束に成り回転している。
束ねている磁気の光子の軌道は、1.926×10−22m×3.14÷(4.34×104)＝1.393×10−26mです。
１１    束ねている磁気の光子の軌道は、1.926×10−22m×3.14÷(4.34×104)＝1.393×10−26mです。
１２    1.491MeVの軌道は1.759×10−23mの軌道です。この軌道を3.822×10−22Jの電気の光子が4.34×104回転で1束に成り、その束が1.44×104束に成り回転している。
１３    束ねている磁気の光子の軌道は、1.759×10−22m×3.14÷(4.34×104)＝1.273×10−26mです。
１４    1.7MeVの軌道は1.543×10−23mの軌道です。この軌道を4.358×10−22J の電気の光子が4.34×104回転で1束に成り、その束が1.44×104束に成り回転している。
１５    束ねている磁気の光子の軌道は、1.543×10−23m×3.14÷(4.34×104)＝1.116×10−27mです。
１６    3.1MeVの軌道は8.461×10−24mの軌道です。この軌道を7.947×10−22J の電気の光子が4.34×104回転で1束に成り、その束が1.44×104束に成り回転している。
１７    束ねている磁気の光子の軌道は、8.461×10−24m×3.14÷(4.34×104)＝6,122×10−28mです。
１８    この内側の軌道を陽子のラブは自転し磁気の光子を作り公転し電気の光子を作っている。
１９    外側の軌道は4.540×10−10MeV の軌道で、5.778×10−14m です。この軌道を1.164×10−31Jの電気の光子が4.34×104回転で1束に成り、その束が1.44×104束に成り回転している。
２０    束ねている磁気の光子の軌道は、5.778×10−14m×3.14÷(4.34×104)＝2.279×10−18mです。
２１    4.971×10−9MeVの軌道は5.274×10−15mの軌道です。この軌道を1.275×10−30Jの電気の光子が4.34×104回転で1束に成り、その束が1.44×104束に成り回転している。
２２    束ねている磁気の光子の軌道は、5.274×10−15m×3.14÷(4.34×104)＝2.080×10−19mです。
２３    5.666×10−9MeVの軌道は4.629×10−15mの軌道です。この軌道を1.453×10−30Jの電気の光子が4.34×104回転で1束に成り、その束が1.44×104束に成り回転している。
２４    束ねている磁気の光子の軌道は、4.629×10−15m×3.14÷(4.34×104)＝3.349×10−19mです。
２５    1.033×10−8MeVの軌道は2.538×10−15mの軌道です。この軌道を2.649×10−30Jの電気の光子が4.34×104回転で1束に成り、その束が1.44×104束に成り回転している。
２６    束ねている磁気の光子の軌道は、2.538×10−15m×3.14÷(4.34×104)＝1.836×10−19mです。
２７    この内側の軌道を陽子のラブは自転し磁気の光子を作り公転し電気の光子を作っている。
【図１】
2017077066.tif 000037
【図２】
2017077066.tif 000038
【図３】
2017077066.tif 000039